(57)【特許請求の範囲】
【請求項１】
トナー像を担持する像担持体と、
トナー像を記録材に転写するための転写電圧が印加されて、前記像担持体上のトナー像を転写部において転写する転写手段と、
記録材が積載される積載部と、
積載された最上位置の記録材を前記転写部へ給送する記録材給送手段と、
前記積載部に積載された記録材の側面に向けてエアーを吹き付けて記録材の給送を補助するエアー吹き付け手段と、
最上位置の記録材から所定位置下方に積載されている記録材までの所定範囲にある記録材の枚数と各記録材の給送毎に前記所定範囲にある記録材に前記エアー吹き付け手段からエアーが吹き付けられる時間とから得られる各記録材のエアーが吹き付けられる累積時間を各記録材の累積被風時間とした場合、連続する画像形成中に連続して前記記録材給送手段による同一種類の記録材の給送を行う際、前記画像形成における各記録材の累積被風時間が、第１の累積被風時間より長い第２の累積被風時間であるときは、前記累積被風時間が第１の累積被風時間である場合の第１の転写電圧より高い第２の転写電圧になるように、各記録材が前記転写部を通過するときの各々の転写電圧を設定する転写電圧設定手段と、
を有することを特徴とする画像形成装置。
【請求項２】
前記画像形成装置はさらに前記累積被風時間を検知するセンサと、
記録材面位置検知センサと、
記録材が積載部に投入された時期及び記録材面位置を記憶する記憶部と、
を備え、
前記転写電圧設定手段は、前記センサと前記記憶部の記憶情報に応じて各記録材が前記転写部を通過するときの各々の転写電圧を設定することを特徴とする請求項１に記載の画像形成装置。
【請求項３】
前記画像形成装置はさらに前記積載部で記録材が前記エアー吹き付け手段により受けたエアーの風圧を検知する風圧センサを備え、
前記転写電圧設定手段は、同一種類の記録材において前記累積被風時間が同じ場合には、前記風圧が第１の風圧より高い第２の風圧であるときは、前記風圧が第１の風圧である場合の第３の転写電圧より高い第４の転写電圧になるように、前記転写電圧を設定することを特徴とする請求項１又は２に記載の画像形成装置。
【請求項４】
前記画像形成装置はさらに前記積載部で記録材が前記エアー吹き付け手段により受けたエアーの温度を検知する温度センサを備え、
前記転写電圧設定手段は、同一種類の記録材において前記累積被風時間が同じ場合には、前記温度が第１の温度より高い第２の温度であるときは、前記温度が第１の温度である場合の第５の転写電圧より高い第６の転写電圧になるように、前記転写電圧を設定することを特徴とする請求項１乃至３のいずれか１項に記載の画像形成装置。
【請求項５】
前記エアー吹き付け手段は、前記積載部に積載された記録材の給送方向下流側端部から記録材の側面へエアーを吹き付け、
前記転写電圧設定手段は、前記給送方向における前記記録材の先端部が前記転写部を通過する時の前記転写電圧が、前記給送方向における前記記録材の後端部が前記転写部を通過する時の前記転写電圧より高くなるように、前記転写電圧を設定することを特徴とする請求項１乃至請求項４のいずれか１項に記載の画像形成装置。
【発明の詳細な説明】
【技術分野】
【０００１】
エアーを記録材へ吹き付けて、記録材を給送する給送装置と、記録材へトナー像を静電的に転写する転写装置とを有する画像形成装置に関する。
【背景技術】
【０００２】
従来の複写機、プリンタ等の画像形成装置においては、シート積載部に積載されたシートをピックアップローラにより最上位のものから１枚ずつ順次送り出した後、分離部により１枚ずつ分離して画像形成部に給送するシート給送装置を備えている。
【０００３】
ここで、このようなシート給送装置において、シートの連続給送を行う場合には、カットシートが用いられるが、このようなカットシートは、通常、上質紙や複写機メーカ指定の普通紙に限られていた。また、このようなシートを１枚ずつ確実に分離して給送するためには、従来から様々な分離方式が採用されており、このような分離方式としては、例えばフィードローラに摩擦部材を所定の圧で当接させて重送を防止する分離パッド方式のものがある。
【０００４】
また、他の分離方式としては、シート搬送方向に回転するフィードローラと、シート搬送方向とは逆方向に所定のトルクで駆動され、かつフィードローラに所定の圧で当接する分離ローラとにより分離部を構成する。そして、前記分離部により、ピックアップローラにより繰出されたシート束の最上シートのみを通過させ、最上シートに連れ送りされた他のシートをシート積載手段側に戻すことにより重送を防止するリタード分離方式のものがある。
【０００５】
ここで、これらの分離方式でシートを確実に分離給送するためには、例えばリタード分離方式の場合、分離ローラの戻しトルクや加圧力を給送すべきシートの摩擦力を考慮し、最適化することで１枚ずつ確実にシートを分離することが可能となっていた。
【０００６】
ところで、近年、シート（記録材、記録媒体）の多様化に伴い超厚紙、ＯＨＰシート、アートフィルム等の他、カラー化の市場要求から白色度や光沢を出すためにシートの表面にコーティング処理を施したコート紙等のシートにも画像形成の要望が高まっている。
【０００７】
しかし、超厚紙を給送しようとする場合、超厚紙の自重が搬送抵抗となってピックアップすることができずにジャムとなってしまう。また、ＯＨＰシートやアートフィルムのように帯電しやすい樹脂材料からなるシートは、低湿環境下における給送動作の際、シート同士が擦れることによってシート表面が徐々に帯電する。そして、クーロン力によってシート同士が貼り付くようになるため、ピックアップができなかったり、重送が発生したりする。
【０００８】
また、紙表面に塗料等からなるコート材を塗布したコート紙では、特に高湿下の環境で積載した場合、シート同士が吸着するという性質を有しているため、ピックアップができなかったり、重送が多発したりする問題が生じる。
【０００９】
これは、上記のような特殊なシートの場合、シート同士の摩擦力自体は普通紙等と比較しても同等またはそれ以下であるが、吸着力が高いからである。すなわち、樹脂材シートの場合には、低湿環境下での摩擦帯電による吸着力により、またコート紙の場合には高湿環境下での吸着力により、シート同士の摩擦力よりもはるかに高い力で吸着しているので、従来の分離方式では分離しきれないためである。
【００１０】
つまり、従来の分離方式の場合、シート同士の摩擦力しか考慮していないため、このような摩擦力以外の吸着力が作用する場合には、シートを確実に分離することはできない。
【００１１】
そこで、このような非常に高いシート間の吸着力を解くために、エアー捌きによる分離給送方式が印刷業界や、一部の複写機で採用されている。これは、シート束の側面からエアーを吹き付けることでシートを予め捌き、シート間の吸着を無くした状態で、上位シートより１枚ずつピックアップし、その下流に設けられた分離部でシートを１枚ずつに分離を行う方式である（特開平11−005643号公報）。
【００１２】
このようなシート束の側面からエアーを吹き付ける手段を具備した分離給送方式では、前述したような吸着力の高いシートであっても給送に先立ってシートを捌いてその吸着を解くので、既述した摩擦力を利用しただけの方式に比べて分離性能が向上する。
【００１３】
なお、上記のようにシート束の側面からエアーを吹き付けるようにした分離給送方式の中には、吹出しエアーをヒータで加熱することによってシートを除湿し、特に高湿環境下におけるコート紙等の吸着力を緩和させるようにしたものがある（特開2001−48366号公報）。
【００１４】
【特許文献１】特開２００５−３３００７９号
【特許文献２】特開平０１−２６５２８２号
【特許文献３】特開平０９−１９７７３４号
【特許文献４】特開２００４−１１８０１９号
【特許文献５】特開平０９−５８９０２号
【特許文献６】特開２００２−３２８１７号
【特許文献７】特開平１１−００５６４３号
【特許文献８】特開２００１−４８３６６号
【発明の開示】
【発明が解決しようとする課題】
【００１５】
しかしながら、上記のようなエアーを吹き付けるようにした分離給送方式を採用した給送装置においては、エアーを吹き付けた場合、シートの水分量が徐々に変化してしまう。この水分量変化に伴い、二次転写部で印加バイアスに対する転写性が変化し、ジョブの途中から画像不良が発生してしまう。特に、画像形成部が静電気を利用してシート上にトナー像を転写する電子写真方式のものの場合、シートの抵抗値によって転写性能が大きく左右される。このため、シートに抵抗値変動が生じると、転写ムラが発生し、それによる画像劣化は顕著であり、画像品質問題となる。
【００１６】
そこで、本発明の目的は、エアーを吹き付けるようにした分離給送方式を採用した給送装置を用いても転写不良等の画像欠陥を軽減することが可能な画像形成装置を提供するものである。
【課題を解決するための手段】
【００１７】
上記目的を達成するための本発明に係る代表的な構成は、トナー像を担持する像担持体と、トナー像を記録材に転写するための転写電圧が印加されて、前記像担持体上のトナー像を転写部において転写する転写手段と、記録材が積載される積載部と、積載された最上位置の記録材を前記転写部へ給送する記録材給送手段と、前記積載部に積載された記録材の側面に向けてエアーを吹き付けて記録材の給送を補助するエアー吹き付け手段と、最上位置の記録材から所定位置下方に積載されている記録材までの所定範囲にある記録材の枚数と各記録材の給送毎に前記所定範囲にある記録材に前記エアー吹き付け手段からエアーが吹き付けられる時間とから得られる各記録材のエアーが吹き付けられる累積時間を各記録材の累積被風時間とした場合、連続する画像形成中に連続して前記記録材給送手段による同一種類の記録材の給送を行う際、前記画像形成における各記録材の累積被風時間が、第１の累積被風時間より長い第２の累積被風時間であるときは、前記累積被風時間が第１の累積被風時間である場合の第１の転写電圧より高い第２の転写電圧になるように、各記録材が前記転写部を通過するときの各々の転写電圧を設定する転写電圧設定手段と、を有することを特徴とする。
【発明の効果】
【００１８】
本発明にあっては、エアーを吹き付けるようにした分離給送方式を採用した給送装置を用いても転写不良等の画像欠陥を軽減することが可能となる。
【発明を実施するための最良の形態】
【００１９】
次に本発明の一実施形態に係る画像形成装置について、図面を参照して具体的に説明する。
【００２０】
〔第１実施形態〕
本実施形態では、４つの感光体からなる像担持体を備えた、タンデム方式の画像形成装置に関するものである。
【００２１】
｛画像形成装置の全体構成｝
まず、画像形成装置の全体構成について、画像形成動作とともに説明する。本実施形態の画像形成装置は、図１の左よりイエロー、マゼンタ、シアン、ブラックの各色トナー像を形成する各画像形成部Ｐａ，Ｐｂ，Ｐｃ，Ｐｄが略水平に配置されている。各画像形成部はトナーの色が異なる以外は同じ構成である。そこで、以下、図面に付している符号ａ，ｂ，ｃ，ｄを省略して説明する。
【００２２】
本実施形態の画像形成装置は、図１に示すように、ベルト状弾性中間転写体、すなわち、無端状の弾性中間転写ベルト181を備えている。この中間転写ベルト181は支持体として駆動ローラ125、テンションローラ126、及びバックアップローラ129に巻回されている。中間転写ベルト181の水平部に沿って、４個の画像形成部Ｐが直列状に配設されている。
【００２３】
各画像形成部Ｐは、回転可能に配置された像担持体であるドラム状の電子写真感光体（以下「感光体ドラム」という）101を備えている。感光体ドラム101の周囲には、一次帯電ローラ122、現像器123、及びクリーニング装置112等のプロセス手段が配置されている。
【００２４】
各画像形成部Ｐａ〜Ｐｄに配置した現像器123にはそれぞれイエロートナー、マゼンタトナー、シアントナー及びブラックトナーが収納されている。
【００２５】
感光体ドラム101は一次帯電ローラ122によって一様に負極性に帯電され、露光装置111から画像信号がポリゴンミラー等を介して感光体ドラム101上に投射されて静電潜像が形成される。ついで、現像器123からトナーが供給されて静電潜像がトナー像として現像される。このトナー像は感光体ドラム101の回転に伴って、感光体ドラム101と中間転写ベルト181とが当接する一次転写部Ｔ１に到来すると、図示しないバイアス用電源から一次転写ローラ124に正極性の転写バイアスが印加される。これにより、各感光体ドラム101のトナー像が中間転写ベルト181へ順次重ね合わされた状態で転写され、カラー画像が形成される。
【００２６】
上記中間転写ベルト181へのトナー像の転写と同期するように後述するシート給送装置によりペーパーデッキ401から送り出された記録材であるシートＳが二次転写部Ｔ２に給送される。そして、バイアス用電源141から二次転写ローラ140に正極性の転写バイアスが印加され、その電界により中間転写ベルト181上のトナー像がシートＳ上に転写される。
【００２７】
なお、転写バイアスの決定方法は後述する。
【００２８】
そして、トナー像が転写されたシートＳは定着部211に搬送され、熱と圧力によってトナー像がシートＳ上に固着され、排出トレイ212へと排出される。
【００２９】
一方、一次転写部Ｔ１において感光体ドラム101から中間転写ベルト181へ転写しきれなかった転写残トナーはクリーニング装置112によってクリーニングされる。また、二次転写部Ｔ２において、中間転写ベルト181からシートＳへ転写しきれなかった転写残トナーは、ベルトクリーニング装置116によってクリーニングされる。
【００３０】
｛シート給送装置｝
次にシート（記録材）を二次転写部Ｔ２へ給送するシート給送装置（記録材給送手段）について説明する。本実施形態におけるシート給送装置はエアー給送方式の分離給送方式を用いたものである。
【００３１】
図２はペーパーデッキ401の斜視説明図を示す。ペーパーデッキ401は収納庫402内に昇降可能に設けられたシート積載部である中板403上にシート束Ｓを積載収納するようになっている。収納庫402の両側下縁部にはレール404，405（レール404は図１に図示）を備え、装置本体に対して正面側（図１の紙面手前方向）に引き出し可能となっている。収納庫402内に積載収納されたシート束Ｓはその先端部（シート給送方向下流側端部）をプレ分離板406により、後端部（シート給送方向上流側端部）は後端規制板412により規制されている。また、シート側端部はサイド規制板410，411によって所定位置に規制されている。
【００３２】
積載されているシート束Ｓのシート給送方向下流側には、最上位のシートをエアーで吸着して送り出すためのシート吸着搬送手段であるシート給送部409が設けられている。このシート給送部409は、不図示の吸引手段に連結されてシート束上方で吸引静圧を発生可能な吸引ダクト408を備え、また吸引ダクト408を取り囲むように多数の孔を具備する吸着ベルト407がシート給送方向に給送回転可能に配設されている。
【００３３】
そして、シート給送部409では吸引ダクト408によりシートを吸着ベルト407に吸着させて、吸着ベルト407を回転させることによりシートを給送する。
【００３４】
（エアー吹き付け手段）
本実施形態のシート給送装置はシート積載部に積載されたシート束の側面にエアー吹き付け手段によってエアーを吹き付けて捌いて分離給送する。ここで、図３を参照してエアー浮き付け手段の構成について説明する。なお、図３は図２をシート給送方向からみたときのエアー吹き付け手段の断面説明図である。
【００３５】
ここで、１枚当たりのシートが受けるエアーの風圧、エアーを受ける時間（被風時間）は、シートの坪量や表面性によって変更される。つまり、シートの坪量が大きい場合には、シートの重さに対応するために、吹き付けファン417の回転数を上げて風圧を高くする。反対に、シートの坪量が小さい場合には、エアーによりシートに皺が生ずることを防止するため、吹き付けファン417の回転数を落として、風圧を小さくする。また、コート紙の様に、表面の付着力の高いシートを使用する場合には風圧を高くする。また、シートの坪量が小さい場合、１回の送風によりエアーを受けるシートの枚数が多くなるため、ペーパーデッキ401に積載されるシートが給送されるまでにエアーを受ける合計時間は長くなる。また、吹き付けファン417により送られるエアーの温度は、雰囲気温度に応じて変化する。
【００３６】
サイド規制板410の内部にはエアー吹き付け手段が設けられている。このエアー吹き付け手段はエアーの供給源である吹き付けファン417（図２に図示）と、このファン417に連結され、一端を収納庫402内に積載収納されたシート束Ｓの側端に向かって開放された開口414を具備する吹き付けダクト413を備えている。これにより、シート束Ｓの側端に向けて開口414からエアーが吹き付けられてシートが捌かれる。なお、エアー吹き付け手段のエアー供給源はシロッコファン等のファンでも良いし、コンプレッサを用いても良い。
【００３７】
また、図３に示すように、シート束Ｓの側端と開口414との間を略鉛直方向に図示しない駆動源（例えばモータやソレノイド等）により移動可能な被風時間可変手段であるシャッタ415が配置されている。そして、前記シャッタ415を上方に移動させると積載されたシート束側面にシャッタ開口416からエアーを吹き付けることができる。一方、図３(d)に示すように、シャッタ開口416が吹き付けダクト413の開口414とずれると積載されたシート束側面にエアーが当たらなくなる。したがって、前記シャッタ415を上下（開閉）させることで、積載されたシート束にエアーを吹き付ける時間、すなわち被風時間を調整することができる。また、風圧は図４に示す様に吹き付けファン417の回転数を制御することで調整可能となっている。
【００３８】
（転写バイアス変化手段）
本実施形態の画像形成装置の転写バイアスＶｔを決定する方法について説明する。転写電圧Ｖｔは、二次転写部Ｔ２の分担電圧Ｖｂと、記録材Ｐの分担電圧Ｖｐの和として得られる。
【００３９】
二次転写ローラ140は、製造時の抵抗ばらつきを抑えることが難しいうえ、雰囲気環境の温湿度変化や耐久劣化などにより抵抗が変化してしまう。そこで、通常の二次転写時以外のタイミングで、所定の電圧を二次転写ローラ140に印加した電流値を検知し、二次転写部Ｔ２の分担電圧Ｖｂを求める。
【００４０】
また、シートは、ペーパーデッキ401内で、吹き付けエアーに影響を受け、シートの水分量が低下する。このとき、図５に示すように、二次転写部において同一のバイアス値転写バイアスを印加していると、転写バイアスのミスマッチによる転写性がダウンしてボソ画像となる転写不良が生ずる可能性がある。
【００４１】
そこで、予め定められている記録材Ｐの分担電圧Ｖｐを、１枚当たりのシートが受けるエアーの温度、風量、エアーを受ける時間（被風時間）に基づいて補正するためのバイアス変更手段が設けられている。
【００４２】
まず、二次転写部Ｔ２の分担電圧Ｖｂの決定方法について詳細を説明する。
【００４３】
二次転写が行われていない時に中間転写ベルト181を回転させて、二次転写ローラ140にモニタ電圧として、＋１ｋＶ、＋２ｋＶを印加する。この時に二次転写ローラ140を流れる電流値を電流検知部204で検知する。
【００４４】
また、良好な二次転写を行うために二次転写ローラ140に流すべき電流値である目標電流値が予めメモリー205に定められている。転写バイアス制御部203は、電流検知部204の検知結果に基づき、目標電流値を流すための、二次転写部Ｔ２の分担電圧Ｖｂを求める。本実施例では、＋１ｋＶを印加した時の電流値は30μＡ、＋２ｋＶを印加した時の電流値は60μＡであった。これらの関係から、図５示す電圧−電流値の関係が得られる。図５の関係に基づき、本実施例の目標電流値50μＡに対応するＶｂとして、1700Ｖが得られる。
【００４５】
次に、記録材Ｐの分担電圧Ｖｐの決定方法を説明する。
【００４６】
バイアス変更手段は、具体的には、図６に示すように、吹き付けエアーの温度を検知する温度センサ200、吹き付けエアーの風圧を検知する風圧センサ201が設けられる。更に、シャッタ415の上下により積載シート束のエアー被風時間を検知する被風時間センサ202が設けられている。表１はシートの種類と、シートの分担電圧Ｖｐの関係を示す表である。
【００４７】
【表１】
0005294564.tif 000002
そして、前記各センサの検知信号を受け、検知結果に基づいて転写バイアスを変更する転写バイアス制御部203が設けられる。なお、風圧は、図４に示す様に、吹き付けファン411の回転数に応じて変化し、風圧センサ201は吹き付けファン411の回転数から風圧を検知する。ここで、図４に示される風圧は、ＫＡＮＯＭＡＸ製クリモマスター風速計（Model 6551）を用いて測定した。
【００４８】
そして、図７に示すように、前記水分量の低下に伴い、シートの分担電圧Ｖｐを上げ（絶対値、以下同様の表現をする）、二次転写ローラ140に印加する転写バイアスを上げていく。具体的には、図８に示すように、画像記録のジョブが開始されると（Ｓ１）、吹き付けファン417によってエアーが吹き付けられるシート１枚あたりの被風時間、エアーの風圧、エアーの温度情報を取得する（Ｓ２）。そして、これら情報に基づいて、分担電圧Ｖｐに適切な補正値を加え、二次転写バイアス値を変更する（Ｓ３）。これにより、シート水分量に適した値の二次転写バイアスが印加されるようになり、画像不良の発生が防止される。
【００４９】
ここで、本実施形態の画像形成装置で吹き付けファン417による風圧、被風時間を変化させた場合の二次転写部での転写バイアスの値の具体例を表２、表３を用いて説明する。風圧、被風時間、エアーの温度と、補正値の関係を示した表である。
【００５０】
【表２】
0005294564.tif 000003
【００５１】
【表３】
0005294564.tif 000004
【００５２】
本実施形態の画像形成装置では、ペーパーデッキ401に積載されたシート束から１枚のシートを給送するごとに、シート束の最上部近傍にエアーを２秒吹き付ける。また、シート束の高さ方向で、シート束がエアーを受ける高さは一定に保たれる。したがって、シートが薄いほど（坪量が小さいほど）、シート束から１枚のシートを給送するためにエアーが吹き付けられるシートの数（浮上枚数）は多くなり、給送されるまでの間にエアーが吹き付けられる時間、つまり、被風時間が長くなる。
【００５３】
なお、前記エアーの風圧と、ジョブ中にシートがエアーの影響を受ける浮上枚数は、表４に示すように、シートの種類ごとに本体内に予め設定値を持っている。表４はシートの種類と浮上枚数の関係を示す表である。
【００５４】
【表４】
0005294564.tif 000005
また、被風時間、風圧、エアーの温度と、補正値の関係は、表２及び表３に示すとおりである。上述の様に、シート束から１枚のシートを給送するごとに、シートの種類に関わらず、シート束の最上部近傍にエアーを２秒吹き付ける。したがって、シートの最も上にあるシートの被風時間は２秒である。また、上から２番目にあるシートは、給送されるまでに、２回、エアーを吹き付けられるので、被風時間は４秒となる。同様に、シートの位置が１枚下がるごとに、被風時間は２秒づつ加算される。シートの位置が浮上枚数に達するまで、２秒ずつ加算される。
【００５５】
Ａ．エアーの温度が25℃の場合
【００５６】
（１） シートが坪量80ｇの普通紙である場合
【００５７】
風圧は400Ｐａに設定される。また、浮上枚数は20枚である。被風時間が２秒増すごとに、シートの分担電圧Ｖｐに加算する補正値は＋20Ｖずつ増加される。
【００５８】
坪量80ｇの普通紙の分担電圧Ｖｐは500Ｖである。したがって、被風時間が２秒である、シート束の最も上にあるシートの分担電圧Ｖｐは、＋520Ｖ（＝500Ｖ＋20Ｖ）とされる。被風時間が４秒になる、シート束の上から２枚目のシートの分担電圧Ｖｐは、＋540Ｖ（＝500Ｖ＋20Ｖ×２）となる。
【００５９】
（２） シートが坪量209ｇの普通紙である場合
【００６０】
風圧は600Ｐａに設定される。また、浮上枚数は10枚である。被風時間が２秒増すごとに、シートの分担電圧Ｖｐに加算する補正値は30Ｖ増加される。
【００６１】
（３） シートが坪量209ｇのコート紙である場合
【００６２】
風圧は800Ｐａに設定される。また、浮上枚数は10枚である。被風時間が２秒増すごとに、シートの分担電圧Ｖｐに加算する補正値は40Ｖ増加される。
【００６３】
Ｂ．エアーの温度が40℃の場合は、表３にしたがって、以下の様に制御される。
【００６４】
（１） シートが坪量80ｇの普通紙である場合
【００６５】
風圧は400Ｐａに設定される。また、浮上枚数は20枚である。被風時間が２秒増すごとに、シートの分担電圧Ｖｐに加算する補正値は＋30Ｖずつ増加される。
【００６６】
（２）シートが坪量209ｇの普通紙である場合
【００６７】
風圧は600Ｐａに設定される。また、浮上枚数は10枚である。被風時間が２秒増すごとに、シートの分担電圧Ｖｐに加算する補正値は+45Ｖずつ増加される。
【００６８】
（３）シートが坪量209ｇのコート紙である場合
【００６９】
風圧は800Ｐａに設定される。また、浮上枚数は10枚である。被風時間が２秒増すごとに、シートの分担電圧Ｖｐに加算する補正値は＋60Ｖずつ増加される。
【００７０】
なお、本実施例では、シートの坪量及び表面性に応じて風圧を変更したが、風圧を固定して、シート束から１枚のシートを給送するごとに、シート束の最上部近傍にエアーを吹き付ける時間を変更することも可能である。風圧を400Ｐａに固定した場合、坪量80ｇの普通紙を１枚給送する際の吹き付け時間は２秒、坪量209ｇの普通紙は３秒、坪量209ｇのコート紙は４秒とすることもできる。
【００７１】
また、本実施形態では連続通紙の場合を記載した。しかし、間欠モードや、途中でユーザがシートを追加した場合、本体内に配設されたシート面位置検知センサとシートがペーパーデッキ内に投入された時期と現在のシート面位置を記憶し、転写バイアス制御部203において転写バイアスを制御することができる。
【００７２】
ペーパーデッキ内に投入された時期と現在のシート面位置から、ある１枚のシートのエアー送風履歴が、分かるので、二次転写部での印加バイアスを制御でき、良好な転写性を得ることが可能となる。
【００７３】
なお、本実施形態ではエアー吹き付けファン417により１枚あたりのシートが受ける被風時間、風圧、エアー温度を検知し、これらの検知情報に基づいて転写バイアスを変化させるようにしている。しかし、前記被風時間、風圧、エアー温度の少なくとも１つに応じて二次転写部での転写バイアスを変化させるようにしてもシートの水分量に応じた転写バイアスに設定することは可能である。
【００７４】
〔第２実施形態〕
次に第２実施形態に係る装置について図９乃至図12を参照して説明する。なお、本実施形態の装置の基本構成は前述した実施形態と同一であるため重複する説明は省略し、ここでは本実施形態の特徴となる構成について説明する。また、前述した実施形態と同一機能を有する部材には同一符号を付す。
【００７５】
本実施形態では、図９Ａ及び図９Ｂに示すように、吹き付けダクト413および上下移動可能なシャッタ415をシート給送方向のシート束先端側（シート給送方向下流側端部側）に備えている。
【００７６】
また不図示の分離ファンに連結された分離ダクト418に分離ノズル419が設けられていて、該分離ノズル419により吸着ベルト407に向かって斜めに分離エアーを供給する構成となっている。この分離エアーは最上位シートのみを吸着ベルト407に吸着させ、次シート以下を分離、落下させるのに有効に働く。
【００７７】
本実施形態のエアーの風圧は400Ｐａ、温度は25℃であり、本実施形態で使用したシート（坪量80ｇ普通紙）が、エアーにより浮上するシートの枚数は20枚である。１枚のシートを給送するために、シート束へ２秒間、エアーを吹き付ける。
【００７８】
本実施形態では吹き付けダクト413および上下移動可能なシャッタ415と分離エアーを供給する分離ノズルをシート給送方向のシート束先端側に備えている。このため、図10に示すように、積載されたシートのうち、エアーが吹き付けられるシート束先端側の水分量低下が著しく、シート束後端側（シート給送方向上流側端部側）の水分量変化はほとんどない。ゆえにシート束先端側から吹き付けエアーの影響で水分量が低下する箇所までが、二次転写部Ｔ２で印加するバイアスのミスマッチにより画像不良を引き起こす。
【００７９】
そこで、シート束先端側からエアーの影響で水分量が低下する箇所まで印加バイアスを上げ、エアーの影響を受けないシート束後端側の、シートの分担電圧Ｖｐには補正値を加えないことで、シートの面内で均一な転写性を得ることが可能となる。
【００８０】
具体的には、図11に示すように、画像記録のジョブが開始されると（Ｓ21）、吹き付けファン417によってエアーが吹き付けられるシート１枚あたりの被風時間、エアーの風圧、エアーの温度情報を取得する（Ｓ22）。また、二次転写バイアスを変化させる境界領域の情報を取得する（Ｓ23）。なお、この境界領域は、風圧等に対応して予め設定しておくことが可能である。そして、これら情報に基づいて、シートの分担電圧Ｖｐに加算する補正値を決定し、二次転写バイアス値を変更する（Ｓ24）。これにより、シート水分量に適した値の二次転写バイアスが印加されるようになり、画像不良の発生が防止される。
【００８１】
これを具体的な数値を例示して説明する。連続通紙時の１枚あたりの被風時間と水分量の変化、および二次転写部の印加バイアスの設定値は第１実施形態と同様に図10に示す値である。図10に示すように、水分量変化に伴いシートのシート束先端側の水分量が著しく低下するまでの箇所（ステップＳ23で取得した境界領域情報に基づく）へ印加する二次転写バイアスを変化させる。そしてシートのシート束後端側の水分量が変化しない箇所へ印加する二次転写バイアスについては変更しない。
【００８２】
上記転写バイアスを変化させる箇所と変化させない箇所でのバイアス差が大きく生じるが、バイアス値を例えば５段階で変化させることで、二次転写バイアスが面内で切り替わる際の濃度段差がなくなる。このため、被風時間の異なる１枚ずつのシートに適正なバイアスを印加することが可能となる。
【００８３】
例えば、風圧400Ｐａ、エアーの温度25℃、被風時間40秒である、坪量80ｇの普通紙の場合について説明する。１枚のシートを給送するためのエアー吹き付け時間は２秒とする。20秒被風で、図10よりシート束先端側からエアーの影響で水分量が低下する箇所までのバイアスを400Ｖ上げる。そして、水分量が低下する箇所と低下しない箇所の境界で、80Ｖ（＝400Ｖ／５）ごとに５段階でバイアスを低下させていく（各バイアスは50mmsecで切り替え）。これにより、濃度差なく面内で均一な転写性を得られる。なお、本実施形態での切り替え境界は、シート先端より50mmの位置である。前記境界は、図12に示すように、風圧ごとに制御部において制御している。
【００８４】
前記エアーの風圧と、１枚あたりの被風時間およびジョブ中にシートがエアーの影響を受ける浮上枚数は、装置環境、シートの種類ごとに制御部内に予め設定値を持っている。
【００８５】
なお、本実施形態では、バイアスを５段階で変化させたが、濃度差が無くなるのであれば、何段階でも良い。上記と同様のシートを用いたい際の例を以下に示す。本実施形態では、風圧はファンの回転数で制御し、シート１枚あたりの被風時間はシャッタの高さで調整している。
【００８６】
他の種類のシートを用いたとき、積載したシートが受ける風圧と被風時間が変化したときに、二次転写バイアス値の変化について具体的に説明する。
【００８７】
(１)坪量209ｇの普通紙に風圧600Ｐａで、温度25℃のエアーを吹き付けた場合
浮上枚数は10枚とする。１枚のシートを給送するためのエアー吹き付け時間は２秒とする。
【００８８】
ある１枚のシートが受ける被風時間は２秒ごとに積算さる。水分量変化に対応するために、被風時間が２秒増えるごとに二次転写部での印加バイアスを30Ｖずつ加算していく。水分量が低下する箇所と低下しない箇所の境界は、図12より、シート先端から75mmの位置であり、境界でΔＶtotal（＝（(被風時間／２秒)×30Ｖ）／５）ごとに５段階でバイアスを低下させることで、印加バイアスのミスマッチを抑止できる。
【００８９】
(２) 坪量209ｇのコート紙に風圧800Ｐａで、温度25℃のエアーを吹き付けた場合
【００９０】
浮上枚数は10枚とする。１枚のシートを給送するためのエアー吹き付け時間は２秒とする。
【００９１】
ある１枚のシートが受ける被風時間は２秒ごとに積算さる。水分量変化に対応するために、被風時間が２秒増えるごとに二次転写部での印加バイアスを40Ｖずつ加算していく。水分量が低下する箇所と低下しない箇所の境界は、図12より、シート先端から75mmの位置であり、境界でΔＶtotal（＝（(被風時間／２秒)×40Ｖ）／５）ごとに５段階でバイアスを低下させることで、印加バイアスのミスマッチを抑止できる。
【００９２】
上記のように、吹き付けエアーが当たり、シートの水分量が減少した箇所にのみ二次転写バイアスを変化させることでシート全体で転写不良のない画像を得ることができる。
【００９３】
本実施例では、１枚のシートを給送するためにエアーを吹き付ける時間を固定し、シート種類に応じて風圧を変更しているが、風圧を固定してエアーを吹き付ける時間をシートの種類に応じて変更する場合にも本実施例の構成は適用できる。
【００９４】
〔第３実施形態〕
次に第３実施形態に係る装置について図13および表５を参照して説明する。表５は温度と被風時間の関係を示した簡略表である。なお、本実施形態の装置の基本構成も前述した実施形態と同一であるため重複する説明は省略し、ここでは本実施形態の特徴となる構成について説明する。また、前述した実施形態と同一機能を有する部材には同一符号を付す。
【００９５】
図13に示す様に、本実施形態のペーパーデッキのエアー吹き付け部には、熱源421をそなえている。そして、装置内温度に応じて前記熱源を動作させることにより、吹き付けエアーの温度を調節するように構成している。熱源421で加熱されたエアーをシート束へ吹き付けてシートを乾燥させることで、シート同士の付着力を低減させ、シートを安定して給送することができる。
【００９６】
本実施形態の吹き付けエアーの風圧は400Ｐａであり、本実施形態で使用したシート（坪量80ｇ普通紙）が、エアーにより浮上するシートの枚数（枚数被風を受ける）は20枚ずつ（２秒／シート）である。
【００９７】
本実施形態では吹き付けエアーの温度を30℃にしている。連続通紙時の１枚あたりの被風時間と水分量の変化、および二次転写部の印加バイアスの設定値を表５に示す。表５のように、１枚あたりの被風時間が２秒増えるごとに二次転写部の印加バイアスを30Ｖずつ増やすことで、被風時間の異なる１枚ずつのシートに適正なバイアスを印加することが可能となる。これにより、転写バイアスのミスマッチによる転写不良を抑止できるので、良好な転写性を得ることができる。なお、表５の表は風圧400Ｐａの場合を示している。
【００９８】
【表５】
0005294564.tif 000006
【００９９】
なお、前記エアーの風圧、エアーの温度、１枚あたりの被風時間およびジョブ中にシートがエアーの影響を受ける浮上枚数は、環境、紙種ごとに本体内に予め設定値を持っている。
【０１００】
積載したシートに吹き付けるエアーの風圧を400Ｐａとしたときに、エアー温度と被風時間が変化したときの二次転写バイアスの変化について、表５を用いて具体的に説明する。
【０１０１】
(１)エアーの温度40℃、被風時間２秒ずつの積算（１枚の給送に、２秒間のエアー吹き付け）／風圧400Ｐａ／浮上枚数10枚の場合
【０１０２】
ある１枚のシートが受ける被風時間は２秒ごとに積算さる。水分量変化に対応するために、被風時間が２秒増えるごとに二次転写部での印加バイアスを40Ｖずつ加算していくことで、印加バイアスのミスマッチを抑止できる。
【０１０３】
(２)温度40℃、被風時間４秒ずつの積算（１枚の給送に、４秒間のエアー吹き付け）／風圧400Ｐａ／シート（浮上枚数10枚）の場合
【０１０４】
ある１枚のシートが受ける被風時間は４秒ごとに積算さる。水分量変化に対応するために、被風時間が４秒増えるごとに二次転写部での印加バイアスを80Ｖずつ加算していくことで、印加バイアスのミスマッチを抑止できる。
【０１０５】
(３)温度50℃、被風時間２秒ずつの積算（１枚の給送に、２秒間のエアー吹き付け）／風圧400Ｐａ／浮上枚数10枚の場合
【０１０６】
ある１枚のシートが受ける被風時間は２秒ごとに積算さる。水分量変化に対応するために、被風時間が２秒増えるごとに二次転写部での印加バイアスを50Ｖずつ加算していくことで、印加バイアスのミスマッチを抑止できる。
【０１０７】
上記のように、吹き付けるエアーの温度が高くなるほど、同じ被風時間でもシートの水分量の減少が大きいため、二次転写バイアスをより高く変化させるようにする。これにより、転写不良のない画像を得ることができる。
【０１０８】
〔第４実施形態〕
次に第４実施形態に係る装置について図14乃至図15を参照して説明する。なお、本実施形態の装置の基本構成は前述した実施形態と同一であるため重複する説明は省略し、ここでは本実施形態の特徴となる構成について説明する。また、前述した実施形態と同一機能を有する部材には同一符号を付す。
【０１０９】
シートは、ペーパーデッキ401内で、エアーの影響を受け、シートの水分量が低下する。特にカール量変化の大きい箇所が二次転写部後端にある時、図14Ａのａ領域は図14Ｂに示すように、二次転写時に同一の転写バイアスを印加していると、転写バイアスのミスマッチにより転写性がダウンしてボソ画像（転写不良）が生ずる可能性がある。また、ｂ領域は図14Ｃに示すように、カール量が徐々に変化する。これにより放電特性がことなってくるため、転写バイアスのミスマッチにより、放電ムラによる画像不良が生ずる可能性がある。
【０１１０】
そこで、前記画像不良を抑止するために、本実施形態では前記水分量の水分量の低下およびカール量の増量に伴い、図14Ａのａ領域では、二次転写部T２で二次転写ローラ140に印加する転写バイアスを上げていく（絶対値、以下同様の表現をする）。また図14Ａのｂ領域では、二次転写ローラ140に印加する転写バイアスを順次下げていく。具体的には、具体的には、図15に示すように、画像記録のジョブが開始されると（Ｓ１）、吹き付けファン417によってエアーが吹き付けられるシート１枚あたりの被風時間、エアーの風圧、エアーの温度、シート種類情報を取得する（Ｓ２）。そして、これら情報に基づいて図14Ａのａ領域では、シートの分担電圧Ｖｐへ補正値を加え、転写バイアスを大きくする。図14Ａのｂ領域では、図14Ａのａ領域に印加する転写バイアスから補正値を引くことで、転写バイアスを順次下げていく（Ｓ３）。これにより、シート水分量に適した値の二次転写バイアスが印加されるようになり、画像不良の発生が防止される。
【０１１１】
ここで、本実施形態の画像形成装置で吹き付けファン417による風圧、被風時間を変化させた場合の図14Ａのａ、ｂ領域の二次転写部での転写バイアスの値の具体例を表６、表７、表８を用いて説明する。表６、表７、表８は、風圧、被風時間、カール量と、補正値の関係を示した表である。
【０１１２】
【表６】
0005294564.tif 000007
【０１１３】
【表７】
0005294564.tif 000008
【０１１４】
【表８】
0005294564.tif 000009
【０１１５】
本実施形態の画像形成装置では吹き付けファン417によるエアーの風圧は400Ｐａ、温度は25℃である。そして、本実施形態で使用したシート（坪量80ｇ普通紙）が、エアーにより浮上するシートの枚数（枚数被風を受ける）は20枚ずつ（２秒／シート）である。
【０１１６】
表６に示すように、１枚あたりの被風時間が２秒増えるごとに図14Ａのａ領域の転写バイアスを20Ｖずつ増やすことで、被風時間の異なる１枚ずつのシートに適正なバイアスを印加することが可能となる。
【０１１７】
また、被風時間が２秒増加すると、図14Ａのｂ領域のカール量が0.2mmずつ増える（表７参照）。よって、図14Ａのｂ領域に印加する転写バイアスは、図14Ａのａ領域のへ印加される転写バイアス（分担電圧Ｖｐに補正値を加えた値）から、被風時間２秒増加ごとに、25Ｖずつ下げた値とする。（表８参照）。この制御により、転写バイアスのミスマッチによる転写不良を減少させて、良好な転写性を得ることができる。
【０１１８】
なお、前記エアーの風圧と、１枚あたりの被風時間およびジョブ中にシートがエアーの影響を受ける浮上枚数は、環境、シートの種類ごとに本体内に予め設定値を持っている。
【０１１９】
上記と同様のシートを用いたとき、積載したシートが受ける風圧が変化したときに、図14Ａの領域ａ、ｂの二次転写バイアス値を変化させる。
【０１２０】
(１)風圧600Ｐａ、被風時間２秒ずつの積算／エアー温度25℃／浮上枚数10枚の場合
【０１２１】
ある１枚のシートが受ける被風時間は２秒ごとに積算さる。水分量変化に対応するために、被風時間が２秒増えるごとに図14Ａのａ領域の二次転写部での印加バイアスを30Ｖずつ加算する。  図14Ａのｂ領域に印加する転写バイアスは、図14Ａのａ領域のへ印加される転写バイアス（分担電圧Ｖｐに補正値を加えた値）から、被風時間２秒増加ごとに、37.5Ｖずつ下げた値とする。（表８参照）。
【０１２２】
(２)風圧600Ｐａ、被風時間４秒ずつの積算／エアー温度25℃／浮上枚数20枚の場合
【０１２３】
ある１枚のシートが受ける被風時間は、４秒ごとに積算される。水分量変化に対応するために、被風時間が４秒増えるごとに図14Ａのａ領域に印加する転写バイアスを60Ｖずつ加算する。
【０１２４】
図14Ａのｂ領域に印加する転写バイアスは、図14Ａのａ領域のへ印加される転写バイアス（分担電圧Ｖｐに補正値を加えた値）から、被風時間２秒増加ごとに、75Ｖずつ下げた値とする。（表８参照）。
【０１２５】
(３)風圧800Ｐａ、被風時間２秒ずつの積算／エアー温度25℃／浮上枚数10枚の場合
【０１２６】
ある１枚のシートが受ける被風時間は、２秒ごとに積算される。前記水分量変化に対応するために、被風時間が２秒増えるごとに図14Ａのａ領域に印加する転写バイアスを40Ｖずつ加算する。
【０１２７】
図14Ａのｂ領域に印加する転写バイアスは、図14Ａのａ領域のへ印加される転写バイアス（分担電圧Ｖｐに補正値を加えた値）から、被風時間２秒増加ごとに、50Ｖずつ下げた値とする。（表８参照）。
【０１２８】
〔第５実施形態〕
次に５実施形態に係る装置について図14、図15、表９、表10を参照して説明する。なお、本実施形態の装置の基本構成は前述した実施形態と同一であるため重複する説明は省略し、ここでは本実施形態の特徴となる構成について説明する。また、前述した実施形態と同一機能を有する部材には同一符号を付す。
【０１２９】
本実施例においても、実施例４と同様に、シートのカールを考慮してシート後端部に印加する転写バイアスを小さくするが、本実施例ではエアーの温度が変化する場合について述べる。
【０１３０】
なお、転写バイアスの制御方法は、実施例４と同様に、図15のフローチャートに従う。
【０１３１】
本実施形態の画像形成装置で吹き付けファン417によるエアーの温度、被風時間に応じた図14Ａのａ、ｂ領域の転写バイアスの値の具体例を表９、表10、及び表８を用いて説明する。表９、表10、表８は、エアーの温度、被風時間、カール量と、補正値の関係を示した表である。
【０１３２】
【表９】
0005294564.tif 000010
【０１３３】
【表１０】
0005294564.tif 000011
【０１３４】
本実施形態の画像形成装置では吹き付けファン417によるエアーの風圧は400Ｐａである。まず、エアーの温度が30℃の場合を説明する。本実施形態で使用したシート（坪量80ｇ普通紙）であり、エアーにより浮上するシートの枚数は20枚である。
【０１３５】
表９に示すように、１枚あたりの被風時間が２秒増えるごとに図14Ａのａ領域のへ印加する転写バイアスを30Ｖずつ増やすことで、被風時間の異なる１枚ずつのシートに適正なバイアスを印加することが可能となる。また、この時、図14Ａのｂ領域のカール量が0.3mmずつ増える（表８参照）。
【０１３６】
よって、図14Ａのｂ領域に印加する転写バイアスは、図14Ａのａ領域のへ印加される転写バイアス（分担電圧Ｖｐに補正値を加えた値）から、被風時間２秒増加ごとに、37.5Ｖずつ下げた値(カール量0.2mmの際の25Ｖとカール量0.4mmの際の50Ｖとの中間値)とする（表８参照）。
【０１３７】
なお、前記エアーの風圧と、１枚あたりの被風時間およびジョブ中にシートがエアーの影響を受ける浮上枚数は、環境、シートの種類ごとに本体内に予め設定値を持っている。
【０１３８】
積載したシートが受けるエアーの温度が変化したときに、図14Ａの領域ａ、ｂの二次転写バイアス値を変化させる。
【０１３９】
(１)エアーの温度40℃、被風時間２秒ずつの積算／風圧400Ｐａ／シート浮上枚数10枚の場合
【０１４０】
ある１枚のシートが受ける被風時間は２秒ごとに積算さる。水分量変化に対応するために、被風時間が２秒増えるごとに図14Ａのａ領域の二次転写部での印加バイアスを40Ｖずつ加算する。図14Ａのｂ領域に印加する転写バイアスは、図14Ａのａ領域のへ印加される転写バイアス（分担電圧Ｖｐに補正値を加えた値）から、被風時間２秒増加ごとに、50Ｖずつ下げた値とする（表８参照）。
【０１４１】
(２) 温度40℃、被風時間４秒ずつの積算／風圧400Ｐａ／シート（浮上枚数20枚）の場合
【０１４２】
ある１枚のシートが受ける被風時間は、４秒ごとに積算される。水分量変化に対応するために、被風時間が４秒増えるごとに図14Ａのａ領域に印加する転写バイアスを80Ｖずつ加算する。
【０１４３】
図14Ａのｂ領域に印加する転写バイアスは、図14Ａのａ領域のへ印加される転写バイアス（分担電圧Ｖｐに補正値を加えた値）から、被風時間４秒増加ごとに、100Ｖずつ下げた値とする（表８参照）。
【０１４４】
(３) 温度50℃、被風時間２秒ずつの積算／シート（浮上枚数10枚）の場合
【０１４５】
ある１枚のシートが受ける被風時間は、２秒ごとに積算される。前記水分量変化に対応するために、被風時間が２秒増えるごとに図14Ａのａ領域へ印加する転写バイアスを50Ｖずつ加算する。
【０１４６】
図14Ａのｂ領域に印加する転写バイアスは、図14Ａのａ領域のへ印加される転写バイアス（分担電圧Ｖｐに補正値を加えた値）から、被風時間４秒増加ごとに、87.5Ｖずつ下げた値(カール量0.6mmの際の75Ｖとカール量0.8mmの際の100Ｖとの中間値)とする（表８参照）。
【０１４７】
〔他の実施形態〕
【０１４８】
また、同様に感光体ドラム上のトナー像をシートに直接転写して画像を形成する画像形成装置において、転写バイアスを積載されたシートが受ける吹き付けエアーの被風時間、風圧、エアー温度の少なくとも１つに応じて変化させるようにしてもよい。
【図面の簡単な説明】
【０１４９】
【図１】画像形成装置の断面説明図である。
【図２】ペーパーデッキの斜視説明図である。
【図３Ａ】シート給送方向からみたときのエアー吹き付け手段の断面説明図である。
【図３Ｂ】シート給送方向からみたときのエアー吹き付け手段の断面説明図である。
【図３Ｃ】シート給送方向からみたときのエアー吹き付け手段の断面説明図である。
【図３Ｄ】シート給送方向からみたときのエアー吹き付け手段の断面説明図である。
【図４】ファンの回転数と風圧の関係を示す図である。
【図５】二次転写ローラへ電圧を印加した時の電流を示す図である。
【図６】転写バイアスを変化させる制御構成を示すブロック図である。
【図７】水分量と転写バイアスの簡略図である。
【図８】実施例１〜３における、転写バイアスを変化させる制御フローチャートである。
【図９Ａ】ペーパーデッキを示した簡略断面図である。
【図９Ｂ】ペーパーデッキを示した簡略断面図である。
【図１０】シートの水分量分布の関係を示した簡略図である。
【図１１】転写バイアスを変化させる制御フローチャートである。
【図１２】風圧とバイアス切り替えの境界を示したグラフである。
【図１３Ａ】ヒータを設けたペーパーデッキを示した簡略断面図である。
【図１３Ｂ】ヒータを設けたペーパーデッキを示した簡略断面図である。
【図１４Ａ】転写不良、記録材のカールの発生状態を示す図である。
【図１４Ｂ】転写不良、記録材のカールの発生状態を示す図である。
【図１４Ｃ】転写不良、記録材のカールの発生状態を示す図である。
【図１５】実施例４、５における、転写バイアスを変化させる制御フローチャートである。
【符号の説明】
【０１５０】
401   …ペーパーデッキ
402   …収納庫
403   …中板
406   …プレ分離板
407   …吸着ベルト
408   …吸引ダクト
409   …シート給送部
410，411 …サイド規制板
412   …後端規制板
413   …吹き付けダクト
414   …開口
415   …シャッタ
416   …シャッタ開口
417   …吹き付けファン
【図１】
0005294564.tif 000012
【図２】
0005294564.tif 000013
【図３Ａ】
0005294564.tif 000014
【図３Ｂ】
0005294564.tif 000015
【図３Ｃ】
0005294564.tif 000016
【図３Ｄ】
0005294564.tif 000017
【図４】
0005294564.tif 000018
【図５】
0005294564.tif 000019
【図６】
0005294564.tif 000020
【図７】
0005294564.tif 000021
【図８】
0005294564.tif 000022
【図９Ａ】
0005294564.tif 000023
【図９Ｂ】
0005294564.tif 000024
【図１０】
0005294564.tif 000025
【図１１】
0005294564.tif 000026
【図１２】
0005294564.tif 000027
【図１３Ａ】
0005294564.tif 000028
【図１３Ｂ】
0005294564.tif 000029
【図１４Ａ】
0005294564.tif 000030
【図１４Ｂ】
0005294564.tif 000031
【図１４Ｃ】
0005294564.tif 000032
【図１５】
0005294564.tif 000033